(57)【要約】【課題】カードが盗難にあった場合であっても、このカードから機密情報を読み取ることができず、したがって機密情報の漏洩が生じないカードを提供すること。【解決手段】所有者の個人情報を表示した個人情報カード１と、この個人情報カードと同形同大で、カードの属性情報を表示した属性情報カード２とでカードセットを構成し、個人情報カードに属性情報カードを重ねることにより認知可能に可視化する割符情報を設ける。いずれか一方が盗難にあった場合でも、所有者とカードの具体的内容とのいずれかを知得することができず、このため、機密情報の漏洩を防止できる。【選択図】図１
2016221917.tif 000002
【特許請求の範囲】
【請求項１】
所有者の個人情報を表示した個人情報カードと、この個人情報カードと同形同大で、カードの属性情報を表示した属性情報カードとから成り、個人情報カードに属性情報カードを重ねることにより認知可能に可視化する割符情報を有することを特徴とするカードセット。
【請求項２】
前記割符情報を潜像とその背景とで構成し、
潜像を多数の平行線（潜像平行線）で構成すると共に、この平行線とピッチがずれた平行線（背景平行線）で背景を構成して成る個人情報カード用画像を前記個人情報カードに担持し、
属性情報カードを個人情報カードに重ねたとき、前記潜像平行線又は背景平行線に重なる平行線から成る属性情報カード用画像を前記属性情報カードに担持した、
ことを特徴とする請求項１に記載のカードセット。
【請求項３】
前記割符情報を潜像とその背景とで構成し、
潜像を多数の平行線（潜像平行線）で構成すると共に、この平行線と交差する平行線（背景平行線）で背景を構成して成る個人情報カード用画像を前記個人情報カードに担持し、
属性情報カードを個人情報カードに重ねたとき、前記潜像平行線又は背景平行線と平行な平行線から成る属性情報カード用画像を前記属性情報カードに担持した、
ことを特徴とする請求項１に記載のカードセット。
【請求項４】
前記割符情報を潜像とその背景とで構成し、
この潜像及び背景を多数の画素に区分し、潜像を構成する画素の濃度を互いに同一とすると共に、背景を構成する画素の濃度を潜像の濃度と異なるように構成し、
前記個人情報カードに属性情報カードを重ねたとき、潜像の濃度及び背景の濃度が再現されるように、それぞれの濃度の画素を個人情報カードと属性情報カードとの配分した、
ことを特徴とする請求項１に記載のカードセット。
【発明の詳細な説明】
【技術分野】
【０００１】
本発明はカード所有者の個人情報とカードの属性（銀行カード、クレジットカード、運転免許証、マイナンバーカード等）とを区別して、それぞれのカードに表示したカードセットに関する。
【背景技術】
【０００２】
周知のように、磁気カードやＩＣカードは多数の分野で使用されている。例えば、身分証明カード（ＩＤカード）、銀行カード、クレジットカード、運転免許証等である。そして、その用途はさらに広がりつつある。例えば、マイナンバーカードは、税、社会保障、パスポートの取得等に利用するもので、さらに銀行預金や固定資産など、その資産管理への利用も期待されている。
【０００３】
このように用途の広がったカードは極めて利便性の高いものであるが、このため、カード情報の機密保持もその重要度が増している。カードの真正を証明するため、例えば、カードにホログラムを貼着したり、その他の偽造防止手段を施したものも知られている（特許文献１）が、この場合でも、カード自体が盗難にあえば、その全ての機密情報が漏れるおそれがあるのである。
【先行技術文献】
【特許文献】
【０００４】
【特許文献１】特開平１１−２２７３６８号公報
【発明の概要】
【発明が解決しようとする課題】
【０００５】
そこで、本発明は、カードが盗難にあった場合であっても、このカードから機密情報を読み取ることができず、したがって機密情報の漏洩が生じないカードを提供することを目的とする。
【課題を解決するための手段】
【０００６】
すなわち、請求項１に記載の発明は、所有者の個人情報を表示した個人情報カードと、この個人情報カードと同形同大で、カードの属性情報を表示した属性情報カードとから成り、個人情報カードに属性情報カードを重ねることにより認知可能に可視化する割符情報を有することを特徴とするカードセットである。
【０００７】
次に、請求項２に記載の発明は、前記割符情報を潜像とその背景とで構成し、
潜像を多数の平行線（潜像平行線）で構成すると共に、この平行線とピッチがずれた平行線（背景平行線）で背景を構成して成る個人情報カード用画像を前記個人情報カードに担持し、
属性情報カードを個人情報カードに重ねたとき、前記潜像平行線又は背景平行線に重なる平行線から成る属性情報カード用画像を前記属性情報カードに担持した、
ことを特徴とする請求項１に記載のカードセットである。
【０００８】
また、請求項３に記載の発明は、前記割符情報を潜像とその背景とで構成し、
潜像を多数の平行線（潜像平行線）で構成すると共に、この平行線と交差する平行線（背景平行線）で背景を構成して成る個人情報カード用画像を前記個人情報カードに担持し、
属性情報カードを個人情報カードに重ねたとき、前記潜像平行線又は背景平行線と平行
な平行線から成る属性情報カード用画像を前記属性情報カードに担持した、
ことを特徴とする請求項１に記載のカードセットである。
【０００９】
また、請求項４に記載の発明は、前記割符情報を潜像とその背景とで構成し、
この潜像及び背景を多数の画素に区分し、潜像を構成する画素の濃度を互いに同一とすると共に、背景を構成する画素の濃度を潜像の濃度と異なるように構成し、
前記個人情報カードに属性情報カードを重ねたとき、潜像の濃度及び背景の濃度が再現されるように、それぞれの濃度の画素を個人情報カードと属性情報カードとの配分した、
ことを特徴とする請求項１に記載のカードセットである。
【発明の効果】
【００１０】
本発明のカードセットは二枚のカードから構成されるものである。そして、そのうち一方のカード（個人情報カード）には所有者の個人情報が表示されているが、カードの属性情報は記載されていない。このため、この個人情報カードが盗難にあったとしても、その取得者は、カードの所有者については分かるものの、そのカードが身分証明カードなのか、運転免許証なのか、あるいは、その他のカードなのか、というカード属性情報については知ることができない。もちろん、その具体的内容についても知ることができないのである。
【００１１】
一方、他方のカード（属性情報カード）には、身分証明カードや運転免許証であることが表示されているが、所有者については記載されていない。このため、所有者については知ることができないのである。
【００１２】
このため、これら個人情報カードと属性情報カードとの一方が盗難にあっても、機密情報が漏洩することがないのである。
【００１３】
また、この両者を重ねることによってはじめて認知可能に可視化する割符情報が設けられているから、この両者が互いに対応関係にあることが分かる。そして、このため、これら両カードが揃って初めて所有者の機密情報が認識できる。
【図面の簡単な説明】
【００１４】
【図１】本発明の個人情報カードの具体例を示す平面図である。
【図２】本発明の属性情報カードの具体例を示す平面図である。
【図３】個人情報カード用画像の第１の例を示す説明図である。
【図４】属性情報カード用画像の第１の例を示す説明図である。
【図５】個人情報カードに属性情報カードを重ねて割符情報を可視化した状態を示す説明図である。
【図６】個人情報カード用画像の第２の例を示す説明図である。
【図７】属性情報カード用画像の第２の例を示す説明図である。
【図８】個人情報カードに属性情報カードを重ねて割符情報を可視化した状態を示す説明図である。
【図９】図１０は第３の例を示し、図９（ａ）は個人情報カード用画像を示す説明図、図９（ｂ）は属性情報カード用画像を示す説明図、図９（ｃ）は個人情報カードに属性情報カードを重ねて割符情報を可視化した状態を示す説明図である。
【発明を実施するための形態】
【００１５】
以下、図面を参照して本発明の具体例を説明する。図１は個人情報カード１の具体例を示し、図２はこれに対応する属性情報カード２の具体例を示す平面図である。
【００１６】
図１から分かるように、個人情報カード１の表面には、カード所有者の個人情報１１が
表示されている。この例では、所有者の写真、氏名、住所、性別である。一方、カードの属性に関する情報は表示されていない。このため、この個人情報カード１を取得しても、カードの具体的内容を知得することは不可能である。
【００１７】
また、図２から分かるように、属性情報カード２には、カードの属性情報２１が表示されている。この例では、カードが運転免許証であること、及びその免許取得年月日である。一方、カード所有者に関する情報は表示されていない。このため、この属性情報カード２を取得しても、カードの所有者を知得することは不可能である。
【００１８】
そして、この個人情報カード１に属性情報カード２を重ねることにより認知可能に可視化する割符情報が、これら個人情報カード１と属性情報カード２とに設けられている。個人情報カード１と属性情報カード２とは同形同大に構成されているから、両カードの周囲を一致させて重ねることにより、その位置合わせは容易である。
【００１９】
なお、割符情報を設ける技術については後述するが、いずれにしても、個人情報カード１だけでは割符情報を認知することは困難であり、また、属性情報カード２だけでも割符情報を認知することが困難である。なお、個人情報カード１に属性情報カード２を重ねることにより割符情報を認知可能とするため、属性情報カード２はその一部又は全部が透明であることが望ましい。
【００２０】
次に、割符情報を個人情報カード１と属性情報カード２とに設ける技術について説明する。この技術にはさまざまなものがあるが、例として３種類の技術を説明する。
【００２１】
第１の例は、割符情報を潜像とその背景とで構成すると共に、これら潜像と背景とを互いにピッチのずれた多数の平行線で構成したものである。図３〜図５はこの例を示す説明図である。
【００２２】
すなわち、この例では、アルファベットの「Ｎ」の文字を潜像としている。個人情報カード１が担持する個人情報カード用画像１２は、この潜像Ｎとその周囲の背景とで構成されている。そして、潜像Ｎは垂直方向に延びる多数の平行線（潜像平行線）１２ａで構成されている（図３参照）。他方、潜像Ｎの周囲の背景は、潜像平行線１２ａに対して半ピッチずれた平行線（背景平行線）１２ｂで構成されている（図３参照）。潜像平行線１２ａのピッチと背景平行線１２ｂのピッチは同一であり、また、その延びる方向も同一である。そして、この例では両者は互いに約１／２ピッチずれているが、これに限らず、１／３ピッチずれたものであってもよい。また、この例では、潜像平行線１２ａと背景平行線１２ｂとはいずれも直線から構成されているが、例えば波線等の曲線であってもよい。例えば、細紋を構成する多数の曲線のうち、その一部の領域の曲線を周囲の曲線に対してピッチをずらせて構成し、この領域を潜像、その周囲を背景とすることも可能である。
【００２３】
このように潜像平行線１２ａと背景平行線１２ｂとを同一ピッチの平行線で構成した場合には、その線密度が均一となるため、この個人情報カード用画像１２を観察したとき、潜像Ｎとその背景とを区別して潜像Ｎ、すなわち、割符情報を認知することは困難である。
【００２４】
一方、属性情報カード２が担持する属性情報カード用画像２２は、属性情報カードを個人情報カードに重ねたとき、前記潜像平行線１２ａ又は背景平行線１２ｂに重なる平行線（フィルター平行線）２２ｂから成るものである必要がある。図４に示すように、この例では、フィルター平行線２２ｂは背景平行線１２ｂに重なるもので、このため、属性情報カードを個人情報カードに重ねたとき、フィルター平行線２２ｂの間から潜像平行線１２ａが露出する。このため、図５に示すように、潜像Ｎの線密度と背景の線密度が異なるこ
ととなり、この両者を区別して潜像Ｎ、すなわち、割符情報を容易に認知できる。
【００２５】
次に、割符情報を設ける技術のうち、第２の例は、割符情報を潜像とその背景とで構成すると共に、これら潜像と背景とを互いに交差する多数の平行線で構成したものである。図６〜図８はこの例を示す説明図である。
【００２６】
すなわち、この例でも、アルファベットの「Ｎ」の文字を潜像としている。個人情報カード１が担持する個人情報カード用画像１２は、この潜像Ｎとその周囲の背景とで構成されている。そして、潜像Ｎは垂直方向に延びる多数の平行線（潜像平行線）１２ｃで構成されている（図６参照）。他方、潜像Ｎの周囲の背景は、潜像平行線１２ｃに対して約３０度の角度で交差する多数の平行線（背景平行線）１２ｄで構成されている（図６参照）。
【００２７】
一方、属性情報カード２が担持する属性情報カード用画像２２は、属性情報カードを個人情報カードに重ねたとき、潜像平行線１２ｃ又は背景平行線１２ｄと平行な平行線（フィルター用平行線）２２ｄから成るものである必要がある。図７に示すように、この例では、フィルター用平行線２２ｄは背景平行線１２ｄと平行な平行線で構成されている。そして、この属性情報カード２を位置合わせして個人情報カード１に重ねると、潜像平行線１２ｃとフィルター用平行線とが交差するように重ねられるから、この重畳部位、すなわち、潜像Ｎの部位にモアレが生じる（図８参照）。潜像Ｎの周囲の背景においては、背景平行線１２ｄとフィルター用平行線とが平行であるためモアレは生じないから、潜像Ｎとその周囲の背景とが明瞭に区別でき、潜像Ｎすなわち、割符情報Ｎを再現して認知可能に可視化することができるのである。なお、フィルター用平行線２２ｄを潜像平行線１２ｃに平行な平行線で構成した場合には、属性情報カード２を位置合わせして個人情報カード１に重ねたとき、潜像Ｎの周囲の背景にモアレが生じるから、この場合にも潜像Ｎすなわち、割符情報Ｎを再現して認知可能に可視化することができる。
【００２８】
次に、割符情報を設ける技術のうち、第３の例は、割符情報を潜像とその背景とで構成し、この潜像及び背景を多数の画素に区分すると共に、個人情報カードに属性情報カードを重ねたとき、潜像画素の濃度及び背景画素の濃度が所定の濃度となるように構成したものである。図９はこの例を示す説明図である。
【００２９】
この例でも、アルファベットの「Ｎ」の文字を潜像としている。潜像Ｎは多数の点状画素に区分されている。また、潜像Ｎの周囲は背景である。背景も多数の点状画素に区分されている。
【００３０】
説明の便宜なため、まず、図９（ｃ）を参照して、個人情報カード１に属性情報カード２を重ね合わせた状態を説明すると、図中、符号ｅ１及びｅ２で示す画素が潜像Ｎを構成する潜像画素であり、符号ｆ１及びｆ２で示す画素が背景を構成する背景画素である。
【００３１】
図から分かるように、個人情報カード１に属性情報カード２を重ね合わせた状態では、潜像画素ｅ１，ｅ２の濃度は互いに等しい。なお、この潜像画素ｅ１，ｅ２の濃度は、これら潜像画素ｅ１，ｅ２に入射した光のうち、潜像画素ｅ１，ｅ２に吸収された光の割合を示している。この例では、入射光のうち９１％が個人情報カード１と属性情報カード２の両者に吸収される。したがって、個人情報カード１に属性情報カード２を重ね合わせた状態で潜像画素ｅ１，ｅ２から反射される見かけ上の反射光は入射光の９％である。
【００３２】
他方、背景画素ｆ１，ｆ２の濃度は互いに等しいものに限られていない。背景画素ｆ１，ｆ２の濃度は潜像画素ｅ１，ｅ２の濃度と異なることが望ましいが、潜像画素ｅ１，ｅ２の濃度と同一濃度の背景画素が散りばめられていてもよい。
【００３３】
次に、図９（ａ）は、個人情報カード１が担持する個人情報カード用画像１２を示している。図中、１２ｅ１は潜像画素ｅ１に対応する画素を示し、１２ｅ２は潜像画素ｅ２に対応する画素を示している。また、１２ｆ１は背景画素ｆ１に対応し、１２ｆ２は背景画素ｆ２に対応している。
【００３４】
また、図９（ｂ）は属性情報カード２が担持する属性情報カード用画像２２示している。図中、２２ｅ１は潜像画素ｅ１に対応する画素を示し、２２ｅ２は潜像画素ｅ２に対応する画素を示している。また、２２ｆ１は背景画素ｆ１に対応し、２２ｆ２は背景画素ｆ２に対応している。
【００３５】
このため、個人情報カード１に属性情報カード２を重ね合わせた状態では、画素１２ｅ１上に画素２２ｅ１が重ねられて画素ｅ１を構成する。同様に画素１２ｅ２上に画素２２ｅ２が重ねられて画素ｅ１を構成し、画素１２ｆ１上に画素２２ｆ１が重ねられて画素ｆ１を構成し、画素１２ｆ２上に画素２２ｆ２が重ねられて画素ｆ２を構成する。
【００３６】
ここで、個人情報カード用画像１２の潜像画素１２ｅ１は反射率３０％となるように構成されている。潜像画素１２ｅ２の反射率は９０％である。このように両画素１２ｅ１，１２ｅ２の反射率は大きく異なるため、個人情報カード用画像１２を観察しても、これら２つの画素１２ｅ１，１２ｅ２が潜像Ｎを構成すると認知するのは困難である。
【００３７】
また、個人情報カード用画像１２の背景画素１２ｆ１の反射率は３０％であり、背景画素１２ｆ２の反射率は９０％である。したがって、これら画素１２ｆ１，１２ｆ２が潜像Ｎの背景を構成すると認知するのは困難である。また、背景画素１２ｆ１の反射率と潜像画素１２ｅ１の反射率とはいずれも３０％であり、背景画素１２ｆ２の反射率と潜像画素１２ｅ２の反射率とはいずれも９０％であるから、この点からも、潜像Ｎとその背景とを区別して認知することは困難である。
【００３８】
次に、属性情報カード用画像２２の潜像画素２２ｅ１の往復透過率は３０％である。個人情報カード用画像１２の潜像画素１２ｅ１に属性情報カード用画像２２の潜像画素２２ｅ１を重ねたときの見かけ反射率は、潜像画素１２ｅ１の反射率３０％と潜像画素２２ｅ１の往復透過率は３０％との積で表されるから、潜像画素ｅ１の見かけ反射率は３０％×３０％＝９％となる。すなわち、吸収率９１％である。
【００３９】
また、属性情報カード用画像２２の潜像画素２２ｅ２の往復透過率は１０％である。このため、個人情報カード用画像１２の潜像画素１２ｅ２に属性情報カード用画像２２の潜像画素２２ｅ２を重ねたときの見かけ反射率は、９０％×１０％＝９％である。すなわち、潜像画素ｅ２の吸収率は９１％であって、画素ｅ１と画素ｅ２の吸収率、すなわち、濃度は互いに等しい。
【００４０】
一方、属性情報カード用画像２２の背景画素２２ｆ１の往復透過率は９０％である。このため、個人情報カード用画像１２の背景画素１２ｆ１に属性情報カード用画像２２の背景画素２２ｆ１を重ねたときの見かけ反射率は、３０％×９０％＝２７％である。すなわち、背景画素ｆ１の吸収率は７３％であり、吸収率９１％の潜像Ｎから明確に区別できる。
【００４１】
また、属性情報カード用画像２２の背景画素２２ｆ２の往復透過率は５０％である。このため、個人情報カード用画像１２の背景画素１２ｆ２に属性情報カード用画像２２の背景画素２２ｆ２を重ねたときの見かけ反射率は、９０％×５０％＝４５％である。すなわち、背景画素ｆ２の吸収率は５５％であり、吸収率９１％の潜像Ｎから明確に区別できる
。
【００４２】
このように、この第３の技術によれば、個人情報カード１に属性情報カード２を重ねたとき、潜像Ｎを構成する画素はすべて同一の濃度を有しているのに対して、その周囲の背景は全体として潜像と異なる濃度を有しているので、これら潜像Ｎとその背景とを区別して潜像Ｎ、すなわち、割符情報を認知可能に可視化することが可能である。
【符号の説明】
【００４３】
１：個人情報カード    １１：個人情報    １２：個人情報カード用画像
２：属性情報カード    ２１：属性情報    ２２：属性情報カード用画像
１２ａ：潜像平行線    １２ｂ：背景平行線    ２２ｂ：フィルター用平行線
１２ｃ：潜像平行線    １２ｄ：背景平行線    ２２ｄ：フィルター用平行線
１２ｅ１：潜像画素    １２ｅ２：潜像画素    １２ｆ１：背景画素    １２ｆ２：背景画素
２２ｅ１：潜像画素    ２２ｅ２：潜像画素    ２２ｆ１：背景画素    ２２ｆ２：背景画素
ｅ１：潜像画素    ｅ２：潜像画素    ｆ１：背景画素    ｆ２：背景画素
【図１】
2016221917.tif 000003
【図２】
2016221917.tif 000004
【図３】
2016221917.tif 000005
【図４】
2016221917.tif 000006
【図５】
2016221917.tif 000007
【図６】
2016221917.tif 000008
【図７】
2016221917.tif 000009
【図８】
2016221917.tif 000010
【図９】
2016221917.tif 000011